(57)【要約】【課題】３００ｄｐｉまたは４００ｄｐｉのカラー送信が選択されたときに、カラーでの３００ｄｐｉまたは４００ｄｐｉでの受信機能の有無を通知する情報の受信がなければ、３００ｄｐｉまたは４００ｄｐｉでカラー送信することが可能になり、ユーザが選択した解像度でカラー送信できる可能性が高い通信装置およびその制御方法を提供することを目的とするものである。【解決手段】カラー情報を通信可能な通信装置において、３００ｄｐｉまたは４００ｄｐｉのカラー情報の送信が選択されたときに、受信機がＪＰＥＧ受信機能とフルカラー受信機能とをともに具備する場合、カラーでの３００ｄｐｉまたは４００ｄｐｉでの受信機能の有無を通知する情報を受信したか否かに基づいて、通信制御を変更するものである。【選択図】　図１
2004120409.tif 000002
【特許請求の範囲】
【請求項１】
カラー情報を通信可能な通信装置において、
受信機として動作する場合、
ＪＰＥＧ受信機能の有無を、送信機に通知する手段と；
フルカラー受信機能の有無を、通知する手段と；
３００ｄｐｉでの受信機能の有無を、送信機に通知する手段と；
４００ｄｐｉでの受信機能の有無を、送信機に通知する手段と；
カラーでの３００ｄｐｉまたは４００ｄｐｉでの受信機能の有無を、送信機に通知する手段と；
を有し、
送信機として動作する場合、
ＪＰＥＧ送信を、受信機に指定する手段と；
フルカラー送信を、受信機に指定する手段と；
３００ｄｐｉでの送信を、受信機に指定する手段と；
４００ｄｐｉでの送信を、受信機に指定する手段と；
を有し、３００ｄｐｉまたは４００ｄｐｉのカラー情報の送信が選択されたときに、受信機がＪＰＥＧ受信機能とフルカラー受信機能とをともに具備する場合、カラーでの３００ｄｐｉまたは４００ｄｐｉでの受信機能の有無を通知する情報を受信したときに、上記受信機能がなければ、２００ｄｐｉでカラー送信し、上記受信機能があれば、３００ｄｐｉまたは４００ｄｐｉでカラー送信し、カラーでの３００ｄｐｉまたは４００ｄｐｉでの受信機能の有無を通知する情報を受信しないときに、３００ｄｐｉまたは４００ｄｐｉでカラー送信することを特徴とする通信装置。
【請求項２】
請求項１において、
３００ｄｐｉまたは４００ｄｐｉでカラー送信することを指定し、再度、初期識別信号を受信すると、カラーでの３００ｄｐｉまたは４００ｄｐｉでの受信機能の有無を通知する情報を受信し、上記受信機能があれば、再び、３００ｄｐｉまたは４００ｄｐｉでカラー送信し、カラーでの３００ｄｐｉまたは４００ｄｐｉでの受信機能の有無を通知する情報を受信しないときに、２００ｄｐｉでカラー送信することを特徴とする通信装置。
【請求項３】
カラー情報を通信可能な通信装置の制御方法において、
受信機として動作する場合、
ＪＰＥＧ受信機能の有無を、送信機に通知する段階と；
フルカラー受信機能の有無を、通知する段階と；
３００ｄｐｉでの受信機能の有無を、送信機に通知する段階と；
４００ｄｐｉでの受信機能の有無を、送信機に通知する段階と；
カラーでの３００ｄｐｉまたは４００ｄｐｉでの受信機能の有無を、送信機に通知する段階と；
を有し、
送信機として動作する場合、
ＪＰＥＧ送信を、受信機に指定する段階と；
フルカラー送信を、受信機に指定する段階と；
３００ｄｐｉでの送信を、受信機に指定する段階と；
４００ｄｐｉでの送信を、受信機に指定する段階と；
を有し、３００ｄｐｉまたは４００ｄｐｉのカラー情報の送信が選択されたときに、受信機がＪＰＥＧ受信機能とフルカラー受信機能とをともに具備する場合、カラーでの３００ｄｐｉまたは４００ｄｐｉでの受信機能の有無を通知する情報を受信したときに、上記受信機能がなければ、２００ｄｐｉでカラー送信し、上記受信機能があれば、３００ｄｐｉまたは４００ｄｐｉでカラー送信し、カラーでの３００ｄｐｉまたは４００ｄｐｉでの受信機能の有無を通知する情報を受信しないときに、３００ｄｐｉまたは４００ｄｐｉでカラー送信することを特徴とする通信装置の制御方法。
【発明の詳細な説明】
【０００１】
【発明の属する技術分野】
本発明は、ファクシミリ装置、特に、カラーファクシミリ通信可能な通信装置およびその制御方法に関するものである。
【０００２】
【従来の技術】
従来のファクシミリ装置は、ＩＴＵ−Ｔ勧告に基づいて設計されている。
【０００３】
この勧告では、受信機から送信機に、ＪＰＥＧ受信機能の有無と、フルカラー受信機能の有無とを通知し、送信機から受信機へは、ＪＰＥＧ送信の指定の有無と、フルカラー送信の指定の有無とを通知する。
【０００４】
ここで、ＪＰＥＧ符号化でフルカラー送信を指定すると、カラー送信になる。カラー送信のマンダトリーな解像度は、２００ｄｐｉである。しかし、ここで、３００ｄｐｉでの受信機能の有無を通知する手段、４００ｄｐｉでの受信機能の有無を通知する手段、カラーでの３００ｄｐｉまたは４００ｄｐｉでの受信機能の有無を通知する手段があり、これらの情報に基づいて３００ｄｐｉまたは４００ｄｐｉでのカラー送信を指定する。
【０００５】
【発明が解決しようとする課題】
しかし、３００ｄｐｉでの受信機能の有無を通知する手段、４００ｄｐｉでの受信機能の有無を通知する手段は、モノクロファクシミリが主流である時代に定義された情報であり、送信時は、この情報に基づいて、カラー送信での３００ｄｐｉまたは４００ｄｐｉのカラー送信を指定する。
【０００６】
一方、カラーでの３００ｄｐｉまたは４００ｄｐｉでの受信機能の有無を通知する手段があり、これはカラーでの３００ｄｐｉまたは４００ｄｐｉでの受信機能の有無を表す。ここで、カラーでの３００ｄｐｉまたは４００ｄｐｉでの受信機能の有無の通知がなくても、３００ｄｐｉまたは４００ｄｐｉのカラー通信が可能であるが、この情報を受信していない場合、カラーでの３００ｄｐｉまたは４００ｄｐｉでの受信機能が無いと判断し、この場合、カラーでの３００ｄｐｉまたは４００ｄｐｉでの送信が、常に不可能になるという問題がある。
【０００７】
本発明は、３００ｄｐｉまたは４００ｄｐｉのカラー送信が選択されたときに、カラーでの３００ｄｐｉまたは４００ｄｐｉでの受信機能の有無を通知する情報の受信がなければ、３００ｄｐｉまたは４００ｄｐｉでカラー送信することが可能になり、ユーザが選択した解像度でカラー送信できる可能性が高い通信装置およびその制御方法を提供することを目的とするものである。
【０００８】
【課題を解決するための手段】
本発明は、カラー情報を通信可能な通信装置において、受信機が、ＪＰＥＧ受信機能の有無を、送信機に通知する手段と、フルカラー受信機能の有無を、通知する手段と、３００ｄｐｉでの受信機能の有無を、送信機に通知する手段と、４００ｄｐｉでの受信機能の有無を、送信機に通知する手段と、カラーでの３００ｄｐｉまたは４００ｄｐｉでの受信機能の有無を、送信機に通知する手段とを有し、送信機が、ＪＰＥＧ送信を、受信機に指定する手段と、フルカラー送信を、受信機に指定する手段と、３００ｄｐｉでの送信を、受信機に指定する手段と、４００ｄｐｉでの送信を、受信機に指定する手段とを有し、３００ｄｐｉまたは４００ｄｐｉのカラー情報の送信が選択されたときに、受信機がＪＰＥＧ受信機能とフルカラー受信機能とをともに具備する場合、カラーでの３００ｄｐｉまたは４００ｄｐｉでの受信機能の有無を通知する情報を受信したか否かに基づいて、通信制御を変更する通信装置である。
【０００９】
【発明の実施の形態および実施例】
図１は、本発明の実施例であるファクシミリ装置ＦＳ１を示すブロック図である。
【００１０】
ファクシミリ装置ＦＳ１において、ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機側に接続（ＣＭＬオフ）し、電話回線２ａをファクシミリ装置側に接続（ＣＭＬオン）するものである。なお、通常状態では、電話回線２ａは、電話機４側に接続されている。
【００１１】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１２】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１３】
発呼回路１０は、バス２６からの信号によって、電話番号情報を入力し、信号線１０ａにＤＴＭＦの選択信号を出力する。
【００１４】
加算回路１２は、信号線８ａの情報と信号線１０ａの情報とを入力し、加算した結果を信号線１２ａに出力する。
【００１５】
読取回路１４は、カラー情報を読み取り可能な読取回路であり、読み取りデータをバス２６に出力する。
【００１６】
記録回路１６は、カラー情報を記録可能な記録回路であり、バス２６に出力されている情報を順次１ライン毎に記録する。
【００１７】
メモリ回路１８は、ワーク用のメモリ（ＲＡＭ）、さらに、読み取りデータの生情報、または、符号化した情報を格納し、また、受信情報、または、復号化した情報等をバス２６を介して格納するために使用する。
【００１８】
操作部２０は、ワンタッチダイヤル、短縮ダイヤル、テンキー、スタートキー、ストップキー、セットキー、カラー送信選択キー、３００ｄｐｉ、４００ｄｐｉでのカラー原稿送信選択キー、メモリ１８への登録キー、その他のファンクションキーを具備し、押下されたキー情報はバス２６に出力される。操作部２０には、表示部があり、バス２６に出力されている情報を入力し、表示する。
【００１９】
ＣＰＵ（中央処理装置）２２は、ファクシミリ全体の制御をし、ファクシミリ伝送制御手順を実行するが、その制御プログラムは、ＲＯＭ２４に格納されている。
【００２０】
ＲＯＭ２４は、カラー情報を通信可能なファクシミリ装置において、受信機から送信機に、ＪＰＥＧ受信機能の有無を通知する手段、フルカラー受信機能の有無を通知する手段、３００ｄｐｉでの受信機能の有無を通知する手段、４００ｄｐｉでの受信機能の有無を通知する手段、カラーでの３００ｄｐｉまたは４００ｄｐｉでの受信機能の有無を通知する手段、送信機から受信機に、ＪＰＥＧ送信を指定する手段、フルカラー送信を指定する手段、３００ｄｐｉでの送信を指定する手段、４００ｄｐｉでの送信を指定する手段を実現する制御プログラムを格納し、３００ｄｐｉまたは４００ｄｐｉのカラー情報の送信が選択されたときに、受信機にＪＰＥＧ受信機能、フルカラー受信機能がともにあると、カラーでの３００ｄｐｉまたは４００ｄｐｉでの受信機能の有無を通知する情報の受信の有無に基づき通信制御を変更する。
【００２１】
具体的には、カラーでの３００ｄｐｉまたは４００ｄｐｉでの受信機能の有無を通知する情報の受信が有り、上記受信機能がない場合、２００ｄｐｉでカラー送信を実行し、上記受信機能有があれば、３００ｄｐｉまたは４００ｄｐｉでカラー送信を実行し、カラーでの３００ｄｐｉまたは４００ｄｐｉでの受信機能の有無を通知する情報の受信がないときに、３００ｄｐｉまたは４００ｄｐｉでのカラー送信を実行する。ここで、ＤＩＳ信号のＦＩＦのビット４２、またはビット４３は１であるとする。
【００２２】
そして、３００ｄｐｉまたは４００ｄｐｉでのカラー送信を実行することを指定し、再度、初期識別信号を受信すると、カラーでの３００ｄｐｉまたは４００ｄｐｉでの受信機能の有無を通知する情報を受信し、上記受信機能があるときに、再び、３００ｄｐｉまたは４００ｄｐｉでのカラー送信を実行し、カラーでの３００ｄｐｉまたは４００ｄｐｉでの受信機能の有無を通知する情報の受信がないと、２００ｄｐｉでのカラー送信を実行する。
【００２３】
以上の制御プログラムが、ＲＯＭ２４に格納されている。
【００２４】
図２は、上記実施例におけるカラー電送時のプロトコル信号の具体例を示す図である。
【００２５】
ここで、ＤＩＳ、ＤＴＣ、ＤＣＳ信号のＦＩＦの４２、４３、６８、６９、９７ビットは、現在のＩＴＵ−Ｔ勧告に決められている情報であり、ここでは、Ｘビットを新設する。
【００２６】
ＤＩＳ、ＤＴＣ信号のＦＩＦの４２ビットは、３００ｄｐｉでの受信機能の有無を表し、ＤＣＳ信号のＦＩＦの４２ビットは、３００ｄｐｉでの送信指定を表す。
【００２７】
ＤＩＳ、ＤＴＣ信号のＦＩＦの４３ビットは、４００ｄｐｉでの受信機能の有無を表し、ＤＣＳ信号のＦＩＦの４３ビットは、４００ｄｐｉでの送信指定を表す。
【００２８】
ＤＩＳ、ＤＴＣ信号のＦＩＦの６８ビットは、ＪＰＥＧ符号化の受信機能の有無を表し、ＤＣＳ信号のＦＩＦの６８ビットは、ＪＰＥＧ符号化の送信指定を表す。
【００２９】
ＤＩＳ、ＤＴＣ信号のＦＩＦの６９ビットは、フルカラーモードの受信機能の有無を表し、ＤＣＳ信号のＦＩＦの６９ビットは、フルカラーモードの送信指定を表す。
【００３０】
ＤＩＳ、ＤＴＣ信号のＦＩＦの９７ビットは、カラー受信での３００ｄｐｉまたは４００ｄｐｉでの受信機能の有無を表し、ＤＣＳ信号のＦＩＦの９７ビットは、３００ｄｐｉまたは４００ｄｐｉでカラーでの送信指定を表す。
【００３１】
図３、図４、図５、図６、図７、図８、図９、図１０、図１１は、ファクシミリ装置ＦＳ１の動作を示すフローチャートである。
【００３２】
Ｓ２では、バス２６を介して、メモリ１８をイニシャライズし、Ｓ４では、バス２６を介して、操作部の表示部をクリアし、Ｓ６では、バス２６を介して、ＮＣＵ２のＣＭＬをオフする。
【００３３】
Ｓ８では、バス２６を介して、操作部の情報を入力し、ファクシミリ送信が選択されたか否かを判断し、ファクシミリ送信が選択されていれば、ステップＳ１４に進み、ファクシミリ送信が選択されていなければ、ステップＳ１０に進む。
【００３４】
Ｓ１０では、ファクシミリ受信が選択されたか否かを判断し、ファクシミリ受信が選択されていれば、ステップＳ１１４に進み、ファクシミリ受信が選択されていなければ、ステップＳ１２に進み、その他の処理を実行する。
【００３５】
Ｓ１４では、バス２６を介して、ＮＣＵ２のＣＭＬをオンし、Ｓ１６では、バス２６を介して、発呼回路を使用し、指定された宛先へ発呼し、Ｓ１８では、前手順を実行する。
【００３６】
Ｓ２０では、バス２６を介して、操作部の情報を入力し、カラーファクシミリ送信が選択されたか否かを判断し、カラーファクシミリ送信が選択されていれば、ステップＳ４８に進み、カラーファクシミリ送信が選択されていなければ、ステップＳ２２に進む。
【００３７】
Ｓ２２では、バス２６を介して、操作部の情報を入力し、４００ｄｐｉでの送信が選択されたか否かを判断し、４００ｄｐｉでの送信が選択されていれば、ステップＳ２４に進み、４００ｄｐｉでの送信が選択されていなければ、ステップＳ４０に進む。
【００３８】
Ｓ２４では、ＤＩＳ信号のＦＩＦの４３ビットを判定し、相手受信機が、４００ｄｐｉで受信する機能を有するか否かを判断し、４００ｄｐｉでの受信機能があれば、ステップＳ２６に進み、４００ｄｐｉでの受信機能がなければ、ステップＳ３２に進む。
【００３９】
Ｓ２６では、残りの前手順を実行し、ここで、ＤＣＳ信号のＦＩＦの４２ビット＝０、４３ビット＝１、６８ビット＝０、６９ビット＝０とする。
【００４０】
Ｓ２８では、画信号の４００ｄｐｉでモノクロ読み取りをし、送信し、Ｓ３０では、後手順を実行する。
【００４１】
Ｓ３２では、ＤＩＳ信号のＦＩＦの４２ビットを判定し、相手受信機が、３００ｄｐｉで受信する機能があるか否かを判断し、３００ｄｐｉで受信する機能があれば、ステップＳ３４に進み、３００ｄｐｉで受信する機能がなければ、ステップＳ４２に進む。
【００４２】
Ｓ３４は、残りの前手順を実行し、ここで、ＤＣＳ信号のＦＩＦの４２ビット＝１、４３ビット＝０、６８ビット＝０、６９ビット＝０とする。
【００４３】
Ｓ３６では、画信号の３００ｄｐｉでモノクロ読み取りをし、送信し、Ｓ３８では、後手順を実行する。
【００４４】
Ｓ４０では、バス２６を介して、操作部２０からの情報を入力し、３００ｄｐｉでの送信が選択されたか否かを判断し、３００ｄｐｉでの送信が選択さていれば、ステップＳ３２に進み、３００ｄｐｉでの送信が選択されていなければ、ステップＳ４２に進む。
【００４５】
Ｓ４２では、残りの前手順を実行し、ここで、ＤＣＳ信号のＦＩＦの４２ビット＝０、４３ビット＝０、６８ビット＝０、６９ビット＝０とする。
【００４６】
Ｓ４４では、画信号を（主走査×副走査）＝２００ｄｐｉ×２００ｄｐｉ、または、２００ｄｐｉ×１００ｄｐｉでモノクロ読み取りし、送信し、Ｓ４６では、後手順を実行する。
【００４７】
Ｓ４８では、ＤＩＳ信号のＦＩＦの６８ビット、６９ビットを判定し、相手受信機に、ＪＰＥＧ受信機能とフルカラーモードでの受信機能とがともにあるか否かを判断し、ＪＰＥＧ受信機能とフルカラーモードでの受信機能とがともにあれば、ステップＳ５０に進み、ＪＰＥＧ受信機能、フルカラーモードでの受信機能のうちで、少なくとも１つの機能がなければ、ステップＳ２２に進む。
【００４８】
Ｓ５０では、バス２６を介して、操作部２０の情報を入力し、４００ｄｐｉでのカラー送信が選択されたか否かを判断し、４００ｄｐｉでのカラー送信が選択されていれば、ステップＳ５４に進み、４００ｄｐｉでのカラー送信が選択されていなければ、Ｓ５２に進む。
【００４９】
Ｓ５２では、バス２６を介して、操作部の情報を入力し、３００ｄｐｉでのカラー送信が選択されたか否かを判断し、３００ｄｐｉでのカラー送信が選択されていれば、ステップＳ９０に進み、３００ｄｐｉでのカラー送信が選択されていなければ、ステップＳ８４に進む。
【００５０】
Ｓ５４では、ＤＩＳ信号のＦＩＦの４３ビットを判定し、相手受信機に、４００ｄｐｉでの受信機能があるか否かを判断し、４００ｄｐｉでの受信機能があれば、ステップＳ５６に進み、４００ｄｐｉでの受信機能がなければ、ステップＳ８４に進む。
【００５１】
Ｓ５６では、ＤＩＳ信号のＦＩＦの９７ビットを判定し、相手受信機に、カラーでの３００ｄｐｉまたは４００ｄｐｉでの受信機能があるか否かを示すＤＩＳ信号のＦＩＦの９７ビットの情報を受信したか否かを判断し、ＤＩＳ信号のＦＩＦの９７ビットの情報を受信していれば、ステップＳ５８に進み、ＤＩＳ信号のＦＩＦの９７ビットの情報を受信していなければ、ステップＳ７６に進む。
【００５２】
Ｓ５８では、ＤＩＳ信号のＦＩＦの９７ビットを判定し、相手受信機にカラーでの３００ｄｐｉまたは４００ｄｐｉでの受信機能があるか否かを示すＤＩＳ信号のＦＩＦの９７ビットの情報が１であるか否かを判断し、ＤＩＳ信号のＦＩＦの９７ビットの情報が１であれば、ステップＳ６０に進み、ＤＩＳ信号のＦＩＦの９７ビットの情報が１でなければ、ステップＳ７０に進む。
【００５３】
Ｓ６０は、残りの前手順を実行し、ここで、ＤＣＳ信号のＦＩＦの４２ビット＝０、４３ビット＝１、６８ビット＝１、６９ビット＝１、９７ビット＝１とする。
【００５４】
Ｓ６２では、ＣＦＲ信号を受信したか否かを判断し、ＣＦＲ信号を受信していれば、ステップＳ６６に進み、ＣＦＲ信号を受信していなければ、ステップＳ６４に進む。
【００５５】
Ｓ６４では、初期識別時間がタイムオーバしたか否かを判断し、初期識別時間がタイムオーバしていれば、ステップＳ６に進み、初期識別時間がタイムオーバしていなければ、ステップＳ５４に進む。
【００５６】
Ｓ６６では、画信号の４００ｄｐｉでカラー読み取りし、送信し、Ｓ６８では、後手順を実行し、Ｓ７０では、残りの前手順を実行し、ここで、ＤＣＳ信号のＦＩＦの４２ビット＝０、４３ビット＝０、６８ビット＝１、６９ビット＝１とする。
【００５７】
Ｓ７２では、画信号の２００ｄｐｉでカラー読み取りし、送信し、Ｓ７４では、後手順を実行し、Ｓ７６では、残りの前手順を実行し、ここで、ＤＣＳ信号のＦＩＦの４２ビット＝０、４３ビット＝１、６８ビット＝１、６９ビット＝１とする。
【００５８】
Ｓ７８では、ＣＦＲ信号を受信したか否かを判断し、ＣＦＲ信号を受信していれば、ステップＳ６６に進み、ＣＦＲ信号を受信していなければ、ステップＳ８０に進む。
【００５９】
Ｓ８０では、初期識別時間がタイムオーバしたか否かを判断し、初期識別時間がタイムオーバしていれば、ステップＳ６に進み、初期識別時間がタイムオーバしていなければ、ステップＳ８２に進む。
【００６０】
Ｓ８２では、ＤＩＳ信号のＦＩＦの９７ビットを判定し、相手受信機に、カラーで３００ｄｐｉまたは４００ｄｐｉでの受信機能があるか否かを示すＤＩＳ信号のＦＩＦの９７ビットの情報を受信したか否かを判断し、ＤＩＳ信号のＦＩＦの９７ビットの情報を受信していれば、ステップＳ５８に進み、ＤＩＳ信号のＦＩＦの９７ビットの情報を受信していなければ、ステップＳ８４に進む。
【００６１】
Ｓ８４では、残りの前手順を実行し、ここで、ＤＣＳ信号のＦＩＦの４２ビット＝０、４３ビット＝０、６８ビット＝１、６９ビット＝１とする。
【００６２】
Ｓ８６では、画信号の２００ｄｐｉでカラー読み取りし、送信し、Ｓ８８では、後手順を実行する。
【００６３】
Ｓ９０では、ＤＩＳ信号のＦＩＦの４２ビットを判定し、相手受信機に、３００ｄｐｉでの受信機能があるか否かを判断し、３００ｄｐｉでの受信機能があれば、ステップＳ９２に進み、３００ｄｐｉでの受信機能がなければ、ステップＳ７０に進む。
【００６４】
Ｓ９２では、ＤＩＳ信号のＦＩＦの９７ビットを判定し、相手受信機に、カラーで３００ｄｐｉまたは４００ｄｐｉでの受信機能があるか否かを示すＤＩＳ信号のＦＩＦの９７ビットの情報を受信したか否かを判断し、ＤＩＳ信号のＦＩＦの９７ビットの情報を受信していれば、ステップＳ９４に進み、ＤＩＳ信号のＦＩＦの９７ビットの情報を受信していなければ、ステップＳ１０６に進む。
【００６５】
Ｓ９４では、ＤＩＳ信号のＦＩＦの９７ビットを判定し、相手受信機に、カラーで３００ｄｐｉまたは４００ｄｐｉでの受信機能があるか否かを示すＤＩＳ信号のＦＩＦの９７ビットの情報が１であるか否かを判断し、ＤＩＳ信号のＦＩＦの９７ビットの情報が１であれば、ステップＳ９６に進み、示すＤＩＳ信号のＦＩＦの９７ビットの情報が１でなければ、ステップＳ７０に進む。
【００６６】
Ｓ９６では、残りの前手順を実行し、ここで、ＤＣＳ信号のＦＩＦの４２ビット＝１、４３ビット＝０、６８ビット＝１、６９ビット＝１、９７ビット＝１とする。
【００６７】
Ｓ９８では、ＣＦＲ信号を受信したか否かを判断し、ＣＦＲ信号を受信していれば、ステップＳ１０２に進み、ＣＦＲ信号を受信していなければ、ステップＳ１００に進む。
【００６８】
Ｓ１００では、初期識別時間がタイムオーバしたか否かを判断し、初期識別時間がタイムオーバしていれば、ステップＳ６に進み、初期識別時間がタイムオーバしていなければ、ステップＳ９０に進む。
【００６９】
Ｓ１０２では、画信号の３００ｄｐｉでカラー読み取りし、送信し、Ｓ１０４では、後手順を実行し、Ｓ１０６では、残りの前手順を示し、ここで、ＤＣＳ信号のＦＩＦの４２ビット＝１、４３ビット＝０、６８ビット＝１、６９ビット＝１とする。
【００７０】
Ｓ１０８では、ＣＦＲ信号を受信したか否かを判断し、ＣＦＲ信号を受信していれば、ステップＳ１０２に進み、ＣＦＲ信号を受信していなければ、ステップＳ１１０に進む。
【００７１】
Ｓ１１０では、初期識別時間がタイムオーバしたか否かを判断し、初期識別時間がタイムオーバしていれば、ステップＳ６に進み、初期識別時間がタイムオーバしていなければ、ステップＳ１１２に進む。
【００７２】
Ｓ１１２では、ＤＩＳ信号のＦＩＦの９７ビットを判定し、相手受信機にカラーで３００ｄｐｉまたは４００ｄｐｉでの受信機能があるか否かを示すＤＩＳ信号のＦＩＦの９７ビットの情報を受信したか否かを判断し、ＤＩＳ信号のＦＩＦの９７ビットの情報を受信していれば、ステップＳ９４に進み、ＤＩＳ信号のＦＩＦの９７ビットの情報を受信していなければ、ステップＳ８４に進む。
【００７３】
Ｓ１１４では、バス２６を介して、ＮＣＵ２のＣＭＬをオンし、Ｓ１１６では、前手順を実行し、ここで、ＤＩＳ信号のＦＩＦの４２、４３、６８、６９、９７ビットを全て１とする。
【００７４】
Ｓ１１８では、ＤＣＳ信号のＦＩＦの６８、６９ビットはともに１であるか、すなわち、ＪＰＥＧでのカラー送信が指定されたか否かを判断し、ＪＰＥＧでのカラー送信が指定されていれば、ステップＳ１２４に進み、ＪＰＥＧでのカラー送信が指定されていなければ、ステップＳ１２０に進む。
【００７５】
Ｓ１２０では、指定された解像度でモノクロ画信号を受信し、記録し、Ｓ１２２では、後手順を実行する。
【００７６】
Ｓ１２４では、ＤＣＳ信号のＦＩＦの４３ビットが１である否かを判断し、ＤＣＳ信号のＦＩＦの４３ビットが１であれば、ステップＳ１２６に進み、ＤＣＳ信号のＦＩＦの４３ビットが１でなければ、ステップＳ１３０に進む。
【００７７】
Ｓ１２６では、４００ｄｐｉでカラー画信号を受信し、記録し、Ｓ１２８では後手順を表している。
【００７８】
Ｓ１３０では、ＤＣＳ信号のＦＩＦの４２ビットが１である否かを判断し、ＤＣＳ信号のＦＩＦの４２ビットが１であれば、ステップＳ１３２に進み、ＤＣＳ信号のＦＩＦの４２ビットが１でなければ、ステップＳ１３６に進む。
【００７９】
Ｓ１３２では、３００ｄｐｉでカラー画信号を受信し、記録し、Ｓ１３４では後手順を実行し、Ｓ１３６では、２００ｄｐｉでカラー画信号を受信し、記録し、Ｓ１３８では、後手順を実行する。
【００８０】
なお、上記実施例を、ファクシミリ装置以外の通信装置に適用するようにしてもよい。
【００８１】
【発明の効果】
請求項１、３記載の発明によれば、３００ｄｐｉまたは４００ｄｐｉでカラー情報を送信することが選択されたときに、カラーでの３００ｄｐｉまたは４００ｄｐｉでの受信機能の有無を通知する情報を受信し、上記受信機能が無いときには、２００ｄｐｉでカラー送信を実行し、上記受信機能が有るときには、３００ｄｐｉまたは４００ｄｐｉでカラー送信を実行し、カラーでの３００ｄｐｉまたは４００ｄｐｉでの受信機能の有無を通知する情報を受信しないときには、３００ｄｐｉまたは４００ｄｐｉでカラー送信を実行するというように、３００ｄｐｉまたは４００ｄｐｉのカラー送信が選択されたときに、カラーでの３００ｄｐｉまたは４００ｄｐｉでの受信機能の有無を通知する情報の受信がなければ、３００ｄｐｉまたは４００ｄｐｉでカラー送信することが可能になり、ユーザが選択した解像度でカラー送信できる可能性が高く、ユーザにとってとても使い易いという効果を奏する。
【００８２】
請求項２記載の発明によれば、３００ｄｐｉまたは４００ｄｐｉのカラー送信が選択されたときに、３００ｄｐｉまたは４００ｄｐｉのカラー送信を前手順によって指定した後に、受信機から再度、初期識別信号が送信されると、カラーでの３００ｄｐｉまたは４００ｄｐｉでの受信機能の有無を通知する情報を受信しないときに、２００ｄｐｉでのカラー送信を確実に実行することができ、ユーザにとってとても使い易いという効果を奏する。
【図面の簡単な説明】
【図１】本発明の実施例であるファクシミリ装置ＦＳ１を示すブロック図である。
【図２】上記実施例におけるカラー電送時のプロトコル信号の具体例を示す図である。
【図３】ファクシミリ装置ＦＳ１の動作を示すフローチャートである。
【図４】ファクシミリ装置ＦＳ１の動作を示すフローチャートである。
【図５】ファクシミリ装置ＦＳ１の動作を示すフローチャートである。
【図６】ファクシミリ装置ＦＳ１の動作を示すフローチャートである。
【図７】ファクシミリ装置ＦＳ１の動作を示すフローチャートである。
【図８】ファクシミリ装置ＦＳ１の動作を示すフローチャートである。
【図９】ファクシミリ装置ＦＳ１の動作を示すフローチャートである。
【図１０】ファクシミリ装置ＦＳ１の動作を示すフローチャートである。
【図１１】ファクシミリ装置ＦＳ１の動作を示すフローチャートである。
【符号の説明】
ＦＳ１…ファクシミリ装置、
４…電話機、
１４…読取回路、
１６…記録回路、
１８…メモリ、
２０…操作部、
２２…ＣＰＵ、
２４…ＲＯＭ。
【図１】
2004120409.tif 000003
【図２】
2004120409.tif 000004
【図３】
2004120409.tif 000005
【図４】
2004120409.tif 000006
【図５】
2004120409.tif 000007
【図６】
2004120409.tif 000008
【図７】
2004120409.tif 000009
【図８】
2004120409.tif 000010
【図９】
2004120409.tif 000011
【図１０】
2004120409.tif 000012
【図１１】
2004120409.tif 000013